(57)【要約】【課題】この発明は、入退室管理されている部屋への通行が許可されている利用者であれば、カード側アクセス鍵情報の有効期限が過ぎてしまっても即通行不可となることを防ぎ、利用者の利便性を向上させることができる入退室管理システムを提供することを目的とするものである。【解決手段】カードリーダ４は、ＩＣカード５のカード側アクセス鍵情報の有効期限が過ぎてしまっていると判断される場合には、期限超過鍵情報を用いて、アクセス権の解錠を試みる。期限超過鍵情報でアクセス権が解錠され、かつカード側ＩＤ情報が装置側ＩＤ情報と一致する場合には、カード側ＩＤ情報の更新を利用者に促すとともに、利用者の通行を許可する。【選択図】図１
2006183398.tif 000002
【特許請求の範囲】
【請求項１】
装置側アクセス鍵情報と複数の装置側認証用データとが記憶されており、ＩＣカードに格納されたカード側アクセス鍵情報が上記装置側アクセス鍵情報に対応すると判断され、かつ上記ＩＣカードに格納されたカード側認証用データが上記装置側認証用データと一致した場合に、錠を解錠するための解錠信号を発生する認証装置
を備え、
上記装置側アクセス鍵には、有効期限内である期限内鍵情報と、有効期限を過ぎた期限超過鍵情報とが含まれており、
上記認証装置は、上記カード側アクセス鍵情報が上記期限超過鍵情報に対応すると判断され、かつ上記カード側認証用データが上記装置側認証用データと一致した場合には、解錠信号を発生するとともに、上記カード側アクセス鍵情報が有効期限を過ぎていることを報知するための期限切れ報知信号を発生することを特徴とする入退室管理システム。
【請求項２】
上記認証装置には、上記期限切れ報知信号の発生に応じて、上記カード側アクセス鍵情報が有効期限を過ぎていることを上記ＩＣカードの利用者に対して報知するための表示手段が設けられていることを特徴とする請求項１記載の入退室管理システム。
【請求項３】
上記認証装置は、上記カード側アクセス鍵情報が上記期限超過鍵情報に対応すると判断され、かつ上記カード側認証用データが上記装置側認証用データと一致した場合には、上記認証装置に接続された上位装置に対して、上記期限切れ報知信号を出力することを特徴とする請求項１又は請求項２に記載の入退室管理システム。
【発明の詳細な説明】
【技術分野】
【０００１】
この発明は、ＩＣカードに格納された情報に応じて入退室の管理を行う入退室管理システムに関するものである。
【背景技術】
【０００２】
従来の物件案内システムでは、利用者は、不動産物件を訪問する際に、利用者が携帯する携帯端末を用いて、有効期限を示す情報が含まれた電子鍵データをＩＣカードに書き込み、電子鍵データの有効期限内に、ＩＣカードを用いて不動産物件に入室し、不動産物件の下見を行うことができるようになっている。即ち、電子錠データに有効期限を示す情報を含ませることで、不動産物件のような入退室管理すべき部屋への入室を時間的に制限している（例えば、特許文献１参照）。
【０００３】
【特許文献１】特開２００４−１３２１７号公報
【発明の開示】
【発明が解決しようとする課題】
【０００４】
上記のような従来の物件案内システムが、例えば定期的に電子錠データの更新が行われるようなシステムに適用されると、利用者は、定期的に電子錠データの更新を行わなければ、入退室管理されている部屋への通行が必要であっても許可されなくなってしまう。即ち、例えば電子錠データの更新を忘れるなどして電子錠データの有効期限が過ぎてしまうと、入退室管理されている部屋への通行が実際に許可されている利用者であっても即通行不可となってしまう。
【０００５】
この発明は、上記のような課題を解決するためになされたものであり、その目的は、入退室管理されている部屋への通行が許可されている利用者であれば、カード側アクセス鍵情報の有効期限が過ぎてしまっても即通行不可となることを防ぎ、利用者の利便性を向上させることができる入退室管理システムを提供することである。
【課題を解決するための手段】
【０００６】
この発明に係る入退室管理システムは、装置側アクセス鍵情報と複数の装置側認証用データとが記憶されており、ＩＣカードに格納されたカード側アクセス鍵情報が装置側アクセス鍵情報に対応すると判断され、かつＩＣカードに格納されたカード側認証用データが装置側認証用データと一致した場合に、錠を解錠するための解錠信号を発生する認証装置を備え、装置側アクセス鍵には、有効期限内である期限内鍵情報と、有効期限を過ぎた期限超過鍵情報とが含まれており、認証装置は、カード側アクセス鍵情報が期限超過鍵情報に対応すると判断され、かつカード側認証用データが装置側認証用データと一致した場合には、解錠信号を発生するとともに、カード側アクセス鍵情報が有効期限を過ぎていることを報知するための期限切れ報知信号を発生する。
【発明の効果】
【０００７】
この発明の入退室管理システムによれば、認証装置は、カード側アクセス鍵情報が期限超過鍵情報に対応すると判断され、かつカード側認証用データが装置側認証用データと一致した場合には、解錠信号を発生するとともに、カード側アクセス鍵情報が有効期限を過ぎていることを報知するための期限切れ報知信号を発生するので、入退室管理されている部屋への通行が許可されている利用者であれば、カード側アクセス鍵情報の有効期限が過ぎてしまっていても入退室管理されている部屋への通行が可能となり、利用者の利便性を向上させることができる。
【発明を実施するための最良の形態】
【０００８】
以下、この発明を実施するための最良の形態について、図面を参照して説明する。
実施の形態１．
図１は、この発明の実施の形態１による入退室管理システムを示すブロック図である。図において、上位装置（外部装置）としてのセンタ装置１は、例えば管理人室や遠隔地のビル管理会社などに設けられている。入退室管理されている各部屋の出入口には、センタ装置１に接続されたコントローラ２、入退室管理されている部屋の戸を施錠している電気錠３、及び利用者によってかざされたＩＣカード５から情報を読み取るカードリーダ４がそれぞれ設けられている。各コントローラ２は、それぞれに接続された電気錠３及びカードリーダ４の動作を制御する。なお、この例では、認証装置は、コントローラ２とカードリーダ４とを有している。
【０００９】
センタ装置１は、入退室管理されている部屋の戸の状態を監視するためのものである。また、センタ装置１は、入退室管理されている部屋への通行を許可する利用者の情報をコントローラ２に入力するためのものである。
【００１０】
利用者は、入退室管理されている部屋への通行を行おうとするときには、ＩＣカード５の情報をカードリーダ４に読み込ませる。カードリーダ４は、読み込んだＩＣカード５の情報をコントローラ２に入力する。コントローラ２は、入力されたＩＣカード５の情報と、入退室管理されている部屋への通行が許可されている利用者の情報とを照合する。また、コントローラ２は、入力されたＩＣカード５の情報が、入退室管理されている部屋への通行が許可されている利用者の情報と一致する場合には、電気錠３に対して解錠信号を入力し、電気錠３を解錠させる。即ち、コントローラ２は、個人認証を行うための装置である。
【００１１】
次に、図２は、図１のカードリーダの詳細な構成を示すブロック図である。図において、カードリーダ４には、情報処理を行う情報処理部７、ＩＣカード５に対しての情報の読み書きを行うＩＣカードリーダライタ部８、及び文章などの情報を表示する表示器（表示手段）９が設けられている。
【００１２】
情報処理部７は、コントローラ２との信号の送受信を行う上位コントローラインタフェース部１１、ＩＣカードリーダライタ部８との信号の送受信を行うＩＣカードインタフェース部１２、表示器９との信号の送受信を行う表示器インタフェース部１３、プログラムが格納されているＲＯＭ１４、プログラムの処理を行うＣＰＵ１５、及びパラメータや演算結果を格納するＲＡＭ１６を有している。
【００１３】
ここで、ＩＣカード５には、カード側アクセス鍵情報と、個人認証するためのカード側ＩＤ情報（カード側認証用データ）とが格納されている。カード側ＩＤ情報へのアクセスは、カード側アクセス鍵情報によってロック（規制）されている。即ち、カードリーダ４がＩＣカード５からカード側ＩＤ情報を読み取るためには、そのＩＣカード５のカード側アクセス鍵情報に対応する装置側アクセス鍵情報を用いて、アクセス権を解錠する必要がある。なお、アクセス鍵情報としては、例えばパスワード及び暗号化・復号化の方式情報などがあり、パスワードが一致する場合、及び復号化の方式情報が暗号化の方式情報に対応している場合などにアクセス権が解錠される。
【００１４】
ＩＣカードリーダライタ部８には、複数の装置側アクセス鍵情報が格納されている。装置側アクセス鍵情報には、有効期限が設定されている。即ち、装置側アクセス鍵情報に有効期限が設定されていることで、カード側アクセス鍵情報の有効期限が設定されている。
【００１５】
ＩＣカードリーダライタ部８は、有効期限内の装置側アクセス鍵情報である期限内鍵情報を格納する期限内鍵情報記憶部８ａと、有効期限を過ぎた装置側アクセス鍵情報である期限超過鍵情報を格納する期限超過鍵情報記憶部８ｂとを有している。
【００１６】
コントローラ２は、入退室管理されている部屋への通行が許可されている利用者の情報、即ち通行が許可されているカード側ＩＤ情報に対応した装置側ＩＤ情報（装置側認証用データ）を格納するＩＤ情報記憶部２ａを有している。
【００１７】
カードリーダ４は、検出されたＩＣカード５からカード側ＩＤ情報を読み取る際には、まず期限内鍵情報を用いてアクセス権の解錠を試みる。また、カードリーダ４は、期限内鍵情報を用いてもアクセス権が解錠されなかった場合には、期限超過鍵情報を用いてアクセス権の解錠を試みる。
【００１８】
さらに、カードリーダ４は、アクセス権が解錠されると、期限内鍵情報及び期限超過鍵情報のいずれによってアクセス権が解錠されたかを示す情報である期限切れフラグ状態情報を作成する。即ち、期限切れフラグ状態情報は、カード側アクセス鍵情報が、有効期限内のものであるか、有効期限を過ぎたものであるかを示す情報である。
【００１９】
さらにまた、カードリーダ４は、アクセス権が解錠されるとＩＣカード５からカード側ＩＤ情報を読み取り、カード側ＩＤ情報及び期限切れフラグ状態情報をコントローラ２及びセンタ装置１に入力する。
【００２０】
コントローラ２は、カード側アクセス鍵情報が期限超過鍵情報に対応すると判断され、かつカード側ＩＤ情報が装置側ＩＤ情報と一致した場合には、電気錠３に対して解錠信号を発生するとともに、カード側アクセス鍵情報が有効期限を過ぎていることを報知するための期限切れ報知信号をセンタ装置１及びカードリーダ４に入力する。
【００２１】
カードリーダ４は、期限切れ報知信号が入力されると、表示器９を用いて、カード側アクセス鍵情報が有効期限を過ぎていることを利用者に対して報知する。
【００２２】
また、カード側アクセス鍵情報が、期限内鍵情報及び期限超過鍵情報のいずれとも対応していなかった場合には、カードリーダ４は、検出したＩＣカード５を、本システムでは使用できないもの、即ち不正なＩＣカード５として判定し、不正カードが使用されたことをコントローラ２及びセンタ装置１に対して通知する。
【００２３】
コントローラ２は、不正カード使用の通知を受けると、表示器９を用いて、検出されたＩＣカード５が不正なものであると利用者に対して報知する。
【００２４】
次に、動作について説明する。図３は、図１のカードリーダが行うＩＣカード情報読み取り動作を示すフローチャートである。図において、カードリーダ４では、ＩＣカード５が検出されるかどうかが監視されている（ステップＳ１）。
【００２５】
ＩＣカード５が検出されると、ＩＣカード５が格納しているカード側アクセス鍵情報が有効期限内のものかどうかのチェック付きでのアクセス権解錠、即ち、期限内鍵情報によるアクセス権の解錠が試みられ（ステップＳ２）、その期限内鍵情報によってアクセス権が解錠されると、検出されたＩＣカード５が格納しているカード側アクセス鍵情報が有効期限内のものと判定され、期限切れフラグがクリアされ（ステップＳ３）、その後にカード側ＩＤ情報が読み取られる（ステップＳ４）。
【００２６】
一方で、期限内鍵情報ではアクセス権が解錠されなかった場合には、有効期限のチェックなしでのアクセス権解錠、即ち、期限超過鍵情報によるアクセス権の解錠が試みられ（ステップＳ５）、その期限超過鍵情報によってアクセス権が解錠されると、検出されたＩＣカード５に格納されたカード側アクセス鍵情報が有効期限を過ぎたものと判定され、期限切れフラグがセットされ（ステップＳ６）、その後にカード側ＩＤ情報が読み取られる（ステップＳ４）。
【００２７】
そして、カード側ＩＤ情報が読み取られると、カード側ＩＤ情報及び期限切れフラグ状態情報がコントローラ２に対して出力される（ステップＳ７）。
【００２８】
これに対して、期限超過鍵情報でもアクセス権の解錠がされなかった場合には、検出されたＩＣカード５が不正なものであると判定され、コントローラ２及びセンタ装置１に不正カードが使用されたと通知される（ステップＳ８）。
【００２９】
次に、図４は、コントローラが行う個人認証動作を示すフローチャートである。図において、カード側ＩＤ情報及び期限切れフラグ状態情報が受信されると（ステップＳ１１）、コントローラ２では、入力されたカード側ＩＤ情報が装置側ＩＤ情報と一致するかどうかが判定されることで、利用者が入退室管理されている部屋へ通行することが許可されているかどうかが判定される（ステップＳ１２）。
【００３０】
このとき、入力されたカード側ＩＤ情報が装置側ＩＤ情報と一致し、利用者の通行が許可されていると判定されると、次に期限切れフラグがセットされているかどうかが判定され（ステップＳ１３）、期限切れフラグがセットされていなければ、表示器９に通行許可と表示される（ステップＳ１４）とともに、電気錠３に対して解錠信号が発せられ、電気錠３が解錠される（ステップＳ１５）。一方で、期限切れフラグがセットされていると、期限切れ報知信号がセンタ装置１及びカードリーダ４に対して発せられ（ステップＳ１６）、表示器９に有効期限切れと表示される（ステップＳ１７）とともに、電気錠３に対して解錠信号が発せられ、電気錠３が解錠される（ステップＳ１５）。
【００３１】
これに対して、入力されたカード側ＩＤ情報が装置側ＩＤ情報と一致せず、利用者の通行が許可されていないと判定されると、表示器９に不正操作と表示（ステップＳ１８）され、電気錠３に対して解錠信号が発せられることなく、電気錠３の施錠が維持される（ステップＳ１９）。
【００３２】
このような入退室管理システムでは、認証装置は、カード側アクセス鍵情報が期限超過鍵情報に対応すると判断され、かつカード側ＩＤ情報が装置側ＩＤ情報と一致した場合には、解錠信号を発生するとともに、カード側アクセス鍵情報が有効期限を過ぎていることを報知するための期限切れ報知信号を発生するので、入退室管理されている部屋への通行が許可されている利用者であれば、カード側アクセス鍵情報の有効期限が過ぎてしまっていても入退室管理されている部屋への通行が可能となり、利用者の利便性を向上させることができる。言い換えると、従来システムでは、有効期限を過ぎたカード側アクセス鍵情報が格納されているＩＣカード５と、入室管理されている部屋への通行に必要なカード側認証用データが格納されていないＩＣカード５とを判別せずに、それらのＩＣカード５を一様に不正なものとして判定していたが、この例の認証装置では、それらのＩＣカード５を区別することができる。
【００３３】
また、このような入退室管理システムでは、期限切れ報知信号が発せられた際には、利用者に対して、カード側アクセス鍵情報が有効期限を過ぎていることを表示器９によって報知することができるので、その利用者に対して、カード側アクセス鍵情報の更新を促すことができる。
【００３４】
さらに、このような入退室管理システムでは、期限切れ報知信号がセンタ装置１に出力されるので、管理者は、カード側アクセス鍵情報が有効期限を過ぎているＩＣカード５を使用している利用者を把握することもでき、例えば管理者から利用者に対してカード側アクセス鍵情報の更新を促すなどの対策も行うことができる。
【００３５】
なお、実施の形態１では、有効期限内の装置側アクセス鍵情報を期限内鍵情報であると説明したが、期限内鍵情報は、ＩＣカードの検出時に有効である装置側アクセス鍵情報であればよい。従って、期限超過鍵情報は、過去に有効であった装置側アクセス鍵情報であればよい。即ち、装置側アクセス鍵情報には有効期限が設定されていなくてもよい。また、装置側アクセス鍵情報は、不定期的に更新されるものであってもよい。
【００３６】
また、実施の形態１では、装置側アクセス鍵情報に有効期限が設定されているように説明したが、有効期限は、カード側アクセス鍵情報に直接設定されてもよい。従って、期限内鍵情報は、有効期限内のカード側アクセス鍵情報に対応する装置側アクセス鍵情報であってもよく、期限超過鍵情報は、有効期限が過ぎたカード側アクセス鍵情報に対応する装置側アクセス鍵情報であってもよい。
【００３７】
さらに、実施の形態１では、文字などの情報を示す表示器９を用いて、利用者に対してカード側アクセス鍵情報の更新を促すように説明したが、例えば、認証装置にスピーカを設け、音声によってカード側アクセス鍵情報の更新を促してもよい。
【図面の簡単な説明】
【００３８】
【図１】この発明の実施の形態１による入退室管理システムを示すブロック図である。
【図２】図１のカードリーダの詳細な構成を示すブロック図である。
【図３】図１のカードリーダが行うＩＣカード情報読み取り動作を示すフローチャートである。
【図４】コントローラが行う個人認証動作を示すフローチャートである。
【符号の説明】
【００３９】
１  センタ装置（上位装置）、２  コントローラ、４  カードリーダ、５  ＩＣカード、９  表示器（表示手段）。
【図１】
2006183398.tif 000003
【図２】
2006183398.tif 000004
【図３】
2006183398.tif 000005
【図４】
2006183398.tif 000006